【手続補正書】
【提出日】平成19年2月5日(2007.2.5)
【手続補正１】
【補正対象書類名】特許請求の範囲
【補正対象項目名】全文
【補正方法】変更
【補正の内容】
【特許請求の範囲】
【請求項１】
光源と、該光源からの光を変調する画像形成素子と、該画像形成素子で変調された光を被投射面へ投射する投射光学系と、該投射光学系と前記光源の間に配置される冷却ファンと、前記光源と前記画像形成素子と前記投射光学系と前記冷却ファンを覆う外装ケースとを有する投射表示装置であって、前記冷却ファンは前記投射光学系から前記光源へ冷却風を送る軸流ファンであって、前記外装ケースは排気口を備え、前記投射光学系と前記冷却ファンと前記光源と前記排気口は一直線上に配置されていることを特徴とする投射表示装置。
【請求項２】
前記光源は発光管とリフレクターを有し、前記冷却ファンは前記リフレクターへ冷却風を送るとともに、前記リフレクターに設けられた切欠き部を介して前記発光管へ冷却風を送ることを特徴とする請求項１に記載の投射表示装置。
【請求項３】
前記光源と前記排気口の間に排気ルーバーが配置されていることを特徴とする請求項１または２に記載の投射表示装置。
【請求項４】
光源と、該光源からの光を変調する画像形成素子を含む色分解合成光学系と、該画像形成素子で変調された光を被投射面へ投射する投射光学系と、前記色分解合成光学系と前記光源の間に配置される冷却ファンと、前記光源と前記色分解合成光学系と前記投射光学系と前記冷却ファンを覆う外装ケースとを有する投射表示装置であって、前記冷却ファンは前記色分解合成光学系から前記光源へ冷却風を送る軸流ファンであって、前記外装ケースは排気口を備え、前記色分解合成光学系と前記冷却ファンと前記光源と前記排気口は一直線上に配置されていることを特徴とする投射表示装置。
【請求項５】
前記光源は発光管リフレクターを有し、前記冷却ファンは前記リフレクターへ冷却風を送るとともに、前記リフレクタ−に設けられた切欠き部を介して前記発光管へ冷却風を送ることを特徴とする請求項４に記載の投射表示装置。
【請求項６】
前記光源と前記排気口の間に排気ルーバーが配置されていることを特徴とする請求項４または５に記載の投射表示装置。
【請求項７】
第１の方向へ光を出射する光源と、該光源からの光を前記第１の方向に対して垂直な第２の方向へ出射する照明光学系と、該照明光学系からの光を変調する画像形成素子を含み、前記照明光学系からの光を前記第１の方向とは反対の第３の方向へ出射する色分解合成光学系と、該色分解合成光学系からの光を前記第３の方向へ投射する投射光学系と、前記投射光学系と前記光源の間に配置される冷却ファンと、前記光源と前記照明光学系と前記色分解合成光学系と前記投射光学系と前記冷却ファンとを覆う外装ケースとを有する投射表示装置であって、前記冷却ファンは前記投射光学系から前記光源へ冷却風を送る軸流ファンであって、前記外装ケースは排気口を備え、前記投射光学系と前記冷却ファンと前記光源と前記排気口は一直線上に配置されていることを特徴とする投射表示装置。
【請求項８】
前記照明光学系は、反射ミラーと第１フライアイレンズと第２フライアイレンズとを有し、前記反射ミラーは、前記第１フライアイレンズおよび第２フライアイレンズよりも前記色分解合成光学系に近い側に配置されていることを特徴とする請求項７に記載の投射表示装置。
【請求項９】
第１の方向へ光を出射する光源と、該光源からの光を前記第１の方向に対して垂直な第２の方向へ出射する照明光学系と、該照明光学系からの光を変調する画像形成素子を含み、前記照明光学系からの光を前記第１の方向とは反対の第３の方向へ出射する色分解合成光学系と、該色分解合成光学系からの光を前記第３の方向へ投射する投射光学系と、前記色分解合成光学系と前記光源の間に配置される冷却ファンと、前記光源と前記照明光学系と前記色分解合成光学系と前記投射光学系と前記冷却ファンとを覆う外装ケースとを有する投射表示装置であって、前記ファンは前記色分解合成光学系から前記光源へ冷却風を送る軸流ファンであって、前記外装ケースは排気口を備え、前記色分解合成光学系と前記冷却ファンと前記光源と前記排気口は一直線上に配置されていることを特徴とする投射表示装置。
【請求項１０】
前記照明光学系は、反射ミラーと第１フライアイレンズと第２フライアイレンズとを有し、前記反射ミラーは、前記第１フライアイレンズと第２フライアイレンズの間に配置されていることを特徴とする請求項９に記載の投射表示装置。
【請求項１１】
請求項１乃至１０のいずれか１項に記載の投射表示装置と、前記投射表示装置に画像信号を供給する画像信号供給装置を有する画像投射システム。
【手続補正２】
【補正対象書類名】明細書
【補正対象項目名】００１１
【補正方法】変更
【補正の内容】
【００１１】
上記の目的を達成するために、本発明の第１の側面に係る投射表示装置は、光源と、該光源からの光を変調する画像形成素子と、該画像形成素子で変調された光を被投射面へ投射する投射光学系と、該投射光学系と前記光源の間に配置される冷却ファンと、前記光源と前記画像形成素子と前記投射光学系と前記冷却ファンを覆う外装ケースとを有する投射表示装置であって、前記冷却ファンは前記投射光学系から前記光源へ冷却風を送る軸流ファンであって、前記外装ケースは排気口を備え、前記投射光学系と前記冷却ファンと前記光源と前記排気口は一直線上に配置されていることを特徴とする。
【手続補正３】
【補正対象書類名】明細書
【補正対象項目名】００１２
【補正方法】変更
【補正の内容】
【００１２】
本発明の第２の側面に係る投射表示装置は、光源と、該光源からの光を変調する画像形成素子を含む色分解合成光学系と、該画像形成素子で変調された光を被投射面へ投射する投射光学系と、前記色分解合成光学系と前記光源の間に配置される冷却ファンと、前記光源と前記色分解合成光学系と前記投射光学系と前記冷却ファンを覆う外装ケースとを有する投射表示装置であって、前記冷却ファンは前記色分解合成光学系から前記光源へ冷却風を送る軸流ファンであって、前記外装ケースは排気口を備え、前記色分解合成光学系と前記冷却ファンと前記光源と前記排気口は一直線上に配置されていることを特徴とする。
【手続補正４】
【補正対象書類名】明細書
【補正対象項目名】００１３
【補正方法】変更
【補正の内容】
【００１３】
本発明の第３の側面に係る投射表示装置は、第１の方向へ光を出射する光源と、該光源からの光を前記第１の方向に対して垂直な第２の方向へ出射する照明光学系と、該照明光学系からの光を変調する画像形成素子を含み、前記照明光学系からの光を前記第１の方向とは反対の第３の方向へ出射する色分解合成光学系と、該色分解合成光学系からの光を前記第３の方向へ投射する投射光学系と、前記投射光学系と前記光源の間に配置される冷却ファンと、前記光源と前記照明光学系と前記色分解合成光学系と前記投射光学系と前記冷却ファンとを覆う外装ケースとを有する投射表示装置であって、前記冷却ファンは前記投射光学系から前記光源へ冷却風を送る軸流ファンであって、前記外装ケースは排気口を備え、前記投射光学系と前記冷却ファンと前記光源と前記排気口は一直線上に配置されていることを特徴とする。
【手続補正５】
【補正対象書類名】明細書
【補正対象項目名】００１４
【補正方法】変更
【補正の内容】
【００１４】
本発明の第４の側面に係る投射表示装置は、第１の方向へ光を出射する光源と、該光源からの光を前記第１の方向に対して垂直な第２の方向へ出射する照明光学系と、該照明光学系からの光を変調する画像形成素子を含み、前記照明光学系からの光を前記第１の方向とは反対の第３の方向へ出射する色分解合成光学系と、該色分解合成光学系からの光を前記第３の方向へ投射する投射光学系と、前記色分解合成光学系と前記光源の間に配置される冷却ファンと、前記光源と前記照明光学系と前記色分解合成光学系と前記投射光学系と前記冷却ファンとを覆う外装ケースとを有する投射表示装置であって、前記ファンは前記色分解合成光学系から前記光源へ冷却風を送る軸流ファンであって、前記外装ケースは排気口を備え、前記色分解合成光学系と前記冷却ファンと前記光源と前記排気口は一直線上に配置されていることを特徴とする。